(57)【特許請求の範囲】
【請求項１】
水栓本体と、壁裏に配設された給水用の元配管の端部とを継手管を介して接続するとともに、該継手管を外側から被覆する継手管カバーを装着してなる壁付水栓において
前記継手管カバーの内面と前記継手管の外面との一方に、他方に向って突出した食込突起を設けるとともに、該他方には該継手管カバーの装着時に自身の変形を伴って該食込突起を食い込ませる、該食込突起よりも軟質材からなる被食込部を設け、
且つ前記食込突起と被食込部とは、前記継手管の前記壁と直角方向である前後方向の予定された施工誤差範囲内の何れの位置においても壁と平行方向に重複する形態で設けてあり、
前記継手管カバー装着時の前記食込突起の前記被食込部への食込作用により、該継手管カバーの前記継手管に対する前記前後方向の位置を固定するようになしてあることを特徴とする壁付水栓。
【請求項２】
請求項１において、前記食込突起は、前記前後方向に複数連設してあることを特徴とする壁付水栓。
【請求項３】
請求項１，２の何れかにおいて、前記食込突起が、前記継手管カバーの内面と前記継手管の外面との一方から他方に向って突出したボス部の突出側先端面に設けてあるとともに、対応する他方の側の前記被食込部が、該ボス部に向って突出した形態で設けてあることを特徴とする壁付水栓。
【請求項４】
水栓本体と、壁裏に配設された給水用の元配管の端部とを継手管を介して接続するとともに、該継手管を外側から被覆する継手管カバーを装着してなる壁付水栓において
前記継手管の外面が鋳造まま若しくは鍛造ままの凹凸肌となしてあるとともに、前記継手管カバーの内面から、該継手管カバーの装着時に該継手管を弾性把持する少なくとも２本の弾性アームを突出させ、該弾性アームによる弾性把持により該継手管カバーの、該継手管に対する前記壁と直角方向である前後方向の位置を固定するようになしてあることを特徴とする壁付水栓。
【発明の詳細な説明】
【技術分野】
【０００１】
この発明は、水栓本体と壁裏に配管された給水用の元配管の端部とを継手管にて接続した形態の壁付水栓に関し、特に継手管を覆う継手管カバーの装着構造に特徴を有するものに関する。
【背景技術】
【０００２】
従来から壁付きの湯水混合水栓では、水栓本体と壁裏に配管された冷水，熱水供給用の給水用の元配管の端部とを、壁の表側でクランク脚と称される配管部材を兼ねた継手管にて接続し、かかる継手管を介して水栓本体を壁に取付固定することが行われている。
【０００３】
従来において、このクランク脚と称される継手管は、元配管の端部に対する接続部の中心に対して、水栓本体への接続部の中心が偏心しており、そのことによって、壁裏に配管された冷水供給用の元配管の端部と、熱水供給用の元配管の端部との上下位置や左右間隔にばらつきがあっても、その継手管を回転させることで水側，湯側の各継手管の水栓本体側の接続部の上下位置や左右間隔を調節して対応する水栓本体の各接続口に合せることができ、従ってかかる継手管を介することで、湯水混合水栓の水栓本体を良好に壁付きの状態に設置施工することができる。
【０００４】
しかしながらこの壁付水栓では、継手管が外部に露出した状態となることで見栄えが悪くなる問題があり、そこでこのような継手管を継手管カバー（化粧カバー）にて内部に隠蔽するようになしたものが各種提案されている（例えば下記特許文献１，特許文献２，特許文献３，特許文献４，特許文献５）。
【０００５】
ところでこのような継手管カバーを、内側に継手管を隠蔽する状態に化粧カバーとして設けた場合、その継手管カバーと壁との間に隙間があると、その隙間が壁付水栓の美観を低下させる原因となってしまう。
【０００６】
そこで例えば特許文献１に記載のものでは、継手管カバーを継手管に対して壁と直角方向である前後方向にスライド可能として、継手管カバーの後端を壁に当接させるようになしている。
しかしながらこのものでは、単に継手管カバーがスライド可能となしてあるに過ぎないため、継手管カバーに外力が加わったりすることで継手管カバーが壁から離れて、そこに隙間を生ぜしめてしまう問題がある。
【０００７】
一方、特許文献２及び特許文献３に記載のものでは、継手管カバーをばねにて壁に向けて付勢し、その付勢作用によって継手管カバーの後端を壁に当接させるようになしている。
しかしながら特許文献２に記載のものでは、継手管カバーを継手管に組み付ける際に、ばねを撓ませながら組み付ける必要があり、その組付けに面倒を伴う問題がある。
またばねが余分の部品として必要で、所要部品点数が多くなり、部品コスト更には組付コストが高くなる問題がある。
【０００８】
また特許文献３に記載のものでは、ばねとして複雑な形状の板ばねを用いており、板ばねが高価となる外、組付けにも手間がかかる問題がある。
【０００９】
他方、下記特許文献４及び特許文献５には、ばねによらないで継手管カバーを継手管に対し位置決状態に組み付けるようになしたものが開示されている。
しかしながらこれら特許文献４及び特許文献５に開示のものでは、継手管に対する継手管カバーの前後方向位置が調節可能となしてあるものの、これら特許文献に開示のものでは、継手管に対する継手管カバーの位置調節を段階的にしか行い得ず、位置調節を無段階で連続的に行い得ない問題がある。
従ってこれら特許文献４及び特許文献５に開示のものでは、継手管カバーの後端と壁との間に微小な隙間を発生させてしまい、施工完了状態での壁付水栓の美観を必ずしも十分良好にできない問題がある。
【００１０】
【特許文献１】特開２００３−６４７３８号公報
【特許文献２】特開２００３−２５３７１１号公報
【特許文献３】特開２００５−２９０６６３号公報
【特許文献４】特開２００３−３３６３００号公報
【特許文献５】特開２００４−３５３３８０号公報
【発明の開示】
【発明が解決しようとする課題】
【００１１】
本発明は以上のような事情を背景とし、壁との間に隙間を生ぜしめないで継手管カバーを継手管を隠蔽する状態に良好に且つ簡単に取付施工でき、また所要コストも安価な継手管カバー付きの壁付水栓を提供することを目的としてなされたものである。
【課題を解決するための手段】
【００１２】
而して請求項１のものは、水栓本体と、壁裏に配設された給水用の元配管の端部とを継手管を介して接続するとともに、該継手管を外側から被覆する継手管カバーを装着してなる壁付水栓において、前記継手管カバーの内面と前記継手管の外面との一方に、他方に向って突出した食込突起を設けるとともに、該他方には該継手管カバーの装着時に自身の変形を伴って該食込突起を食い込ませる、該食込突起よりも軟質材からなる被食込部を設け、且つ前記食込突起と被食込部とは、前記継手管の前記壁と直角方向である前後方向の予定された施工誤差範囲内の何れの位置においても壁と平行方向に重複する形態で設けてあり、前記継手管カバー装着時の前記食込突起の前記被食込部への食込作用により、該継手管カバーの前記継手管に対する前記前後方向の位置を固定するようになしてあることを特徴とする。
【００１３】
請求項２のものは、請求項１において、前記食込突起は、前記前後方向に複数連設してあることを特徴とする。
【００１４】
請求項３のものは、請求項１，２の何れかにおいて、前記食込突起が、前記継手管カバーの内面と前記継手管の外面との一方から他方に向って突出したボス部の突出側先端面に設けてあるとともに、対応する他方の側の前記被食込部が、該ボス部に向って突出した形態で設けてあることを特徴とする。
【００１５】
請求項４のものは、水栓本体と、壁裏に配設された給水用の元配管の端部とを継手管を介して接続するとともに、該継手管を外側から被覆する継手管カバーを装着してなる壁付水栓において、前記継手管の外面が鋳造まま若しくは鍛造ままの凹凸肌となしてあるとともに、前記継手管カバーの内面から、該継手管カバーの装着時に該継手管を弾性把持する少なくとも２本の弾性アームを突出させ、該弾性アームによる弾性把持により該継手管カバーの、該継手管に対する前記壁と直角方向である前後方向の位置を固定するようになしてあることを特徴とする。
【発明の作用・効果】
【００１６】
以上のように請求項１のものは、継手管カバーの内面と継手管の外面との一方に、他方に向って突出した食込突起を設けるとともに、その他方には、継手管カバーの装着時に自身の変形を伴って食込突起を食い込ませる軟質材からなる被食込部を設け、継手管カバー装着時における食込突起の被食込部への食込作用により、継手管カバーの継手管に対する前後方向の位置を固定するようになしたものである。
【００１７】
この請求項１によれば、単に継手管カバーと継手管とに食込突起と軟質材からなる被食込部を設けておくだけで良く、従来のように継手管カバーの組付けに際してばねを必要とせず、従ってそのばねのための部品コストや、ばねの組付けのための組付コストを不要とし得、継手管カバーの装着のための所要コストを安価となすことができる。
【００１８】
しかもこの請求項１によれば、継手管に対する継手管カバーの前後方向位置の調節を無段階で連続的に行うことができ、従って継手管カバーの後端と壁との間に隙間を確実に生ぜしめない状態に、継手管カバーを良好に取付施工することができる。これにより壁付水栓の施工完了状態での美観を良好となすことができる。
【００１９】
加えてこの請求項１のものでは、施工後において継手管カバーに対し外力が加わった場合にも、被食込部への食込突起の食込作用により継手管カバーが位置ずれするのを防止でき、施工完了後に事後的に継手管カバーが壁から離れる方向に位置ずれしてしまうことによって、継手管カバーと壁との間に隙間を発生させてしまう問題も生じない。
またこの請求項１のものは、継手管カバーを装着すると同時に食込突起が被食込部に食い込んで、継手管に対し前後方向に位置決状態となることから、継手管カバーの組付けも簡単に行うことができる。
【００２０】
ここで上記食込突起は、前後方向に複数連設しておくことができる（請求項２）。
このようにすることで、複数の食込突起を同時に被食込部材に食い込ませることが可能となって、継手管カバーの固定力を強くすることができ、また継手管カバーを継手管に対して前後方向に位置調節する際の調節範囲を大きく確保することが可能となる。
【００２１】
本発明ではまた、継手管カバーの内面と継手管の外面との一方から他方に向って突出したボス部を設けて、そのボス部の突出側先端面に上記の食込突起を設けておくことができる。
また対応する他方の側の被食込部を、そのボス部に向って突出した形態で設けておくことができる（請求項３）。
このようになした場合、周辺の他部との干渉を良好に回避して、食込突起を被食込部に容易に食い込ませるようになすことができる。
【００２２】
次に請求項４は、継手管の外面を鋳造まま若しくは鍛造ままの凹凸肌となしておくとともに、継手管カバーの内面から継手管を弾性把持する少なくとも２本の弾性アームを突出させ、その弾性アームによる弾性把持により、継手管カバーの継手管に対する前後方向の位置を固定するようになしたものである。
【００２３】
この請求項４においても、継手管に対する継手管カバーの前後方向の位置調整を無段階で連続的に行うことができ、従って継手管カバーの後端と壁との間に隙間を確実に生ぜしめない状態に、継手管カバーを良好に取付施工することができる。
【００２４】
またこの請求項４では、継手管外面の凹凸肌を利用して弾性アームと継手管の外面との間に大きな摩擦力を生ぜしめることができ、そのことによって継手管カバーの継手管に対する固定力を高めることができ、外力によって継手管カバーが前後方向に位置ずれするのを良好に防止することができる。
【発明を実施するための最良の形態】
【００２５】
次に本発明の実施形態を図面に基づいて詳しく説明する。
図１において、１０は本実施形態の壁付水栓（湯水混合水栓）で、１２は水栓本体、１４は水栓本体１２から延び出した吐水管で、先端に吐水口１６を備えている。
水栓本体１２の左右方向一端側には回転式の温度調節ハンドル１８が設けられ、また他端側には吐水の水量調節を行う回転式の流量調節ハンドル２０が設けられている。
【００２６】
水栓本体１２の後面側（図中右面側）には水側，湯側の接続口２２が設けられており、そこに配管構成部材を兼ねた水側，湯側の各継手管２４が接続されている。
ここで水側及び湯側の各継手管２４は同形状をなしている（図では水側の一方の継手管２４だけが示してあり、湯側の他方の継手管２４は図示が省略されている）。
継手管２４は、全体として小型且つクランク形状をなしており、前端側に水栓本体１２との接続用の接続口２６(図６参照)が設けられ、この接続口２６が、袋ナット２８にて水栓本体１２の接続口２２に水密に接続されている。
また後端側には、図６に示す壁Ｗの裏側に配管された冷水供給用，熱水供給用の元配管３０の端部３２への接続口３４が設けられている。
【００２７】
この接続口３４の外周面には雄ねじ３６が形成されており、この雄ねじ３６が、端部３２の内周面の雌ねじにねじ込まれている。
図６において、３８は壁Ｗに形成された貫通孔で、接続口３４と端部３２とは、この貫通孔３８を通じて接続されている。
尚、接続口３４の外周面の雄ねじ３６には接続前に予めシールテープが巻かれ、その状態で接続口３４の雄ねじ３６が端部３２の内周面の雌ねじにねじ込まれることで、接続口３４と端部３２との間が水密にシールされる。
【００２８】
継手管２４には、流量調節機能を備えた止水栓が組み込まれている。図中４０はその止水栓部を表しており、また４２は止水栓における円板状の回転式の操作部を表している。
尚この例において、継手管２４は鋳造又は鍛造にて形成されたもので、その外面が鋳造まま若しくは鍛造ままの凹凸肌をなしている。
【００２９】
水側及び湯側の各継手管２４は、元配管３０の端部３２への接続口３４の中心に対し、水栓本体１２側の接続口２６の中心が偏心しており、従って水側，湯側の各元配管３０の端部３２の上下位置や左右方向の間隔にばらつきがあっても、接続口３４を端部３２にねじ込み接続した状態で、それら継手管２４の回転角度を調整することで、継手管２４における水栓本体１２側の接続口２６の左右の間隔及び上下の位置を、正しく水栓本体１２の一対の接続口２２に位置合せすることができる。
従ってその状態で各接続口２６を水栓本体１２の接続口２２に接続することで、水栓本体１２を適正に壁Ｗに取付施工することができる。
尚水側，湯側の各クランク形状をなす継手管２４は、水栓本体１２に対する支持管も兼ねている。
【００３０】
４４は水側，湯側の各継手管２４を内側に隠蔽した状態にそれら継手管２４を外側から覆う化粧カバーとしての継手管カバー（ここでは樹脂製）で、この継手管カバー４４は全体として筒形且つ略紡錘形状をなしている。
ここで継手管カバー４４は断熱カバーとしての働きも併せ有している。
【００３１】
この継手管カバー４４は、上カバー４６と下カバー４８とに上下に２分割されている。
下カバー４８には、図４に示しているように貫通の開口５０が設けられており、この開口５０から継手管２４の一部、詳しくは止水栓部４０が図２に示しているように下向きに突出せしめられ、継手管カバー４４の装着状態の下で、止水栓の操作部４２が操作可能とされている。
【００３２】
図４に示しているように、下カバー４８の内面からは、内側に位置決孔５２を有する一対の円筒部５４が上向きに起立しており、また上カバー４６からは、対応する位置において一対の位置決ピン５６が下向きに突き出しており、それら位置決ピン５６が位置決孔５２内に嵌り込むことによって、上カバー４６と下カバー４８との組付時の位置合せが行われるようになっている。
【００３３】
上カバー４６の内面からはまた、一対の弾性係合爪５８が下向きに突き出しており、その弾性係合爪５８の下端のＬ字状に折れ曲がった爪部が、図１に示す継手管２４の溝６０に係合することによって、上カバー４６が継手管２４に対し組み付けられるようになっている。
ここで溝６０は壁Ｗと直角方向の前後方向に延びており、上カバー４６が継手管２４に対し前後方向の相対的に異なった位置で継手管２４に組付可能となしてある。
【００３４】
下カバー４８の内面からはまた、長さの短い第２の弾性係合爪６４が上向きに起立する形状で４個所に設けられており、また上カバー４６には、対応する位置の４個所に第２の弾性係合爪６２が下向きに突き出す状態で設けられており、それら弾性係合爪６４と６２との弾性係合により、上カバー４６と下カバー４８とが上下に組み付けられるようになっている。
【００３５】
図４に示しているように、上カバー４４の上部且つ下面には、下向き即ち継手管２４の上面に向って突出するボス部６６が設けられている。ここではボス部６６は樹脂製で、上カバー４６に一体に成形されている。
ボス部６６は四角筒状をなしていて、前後方向に延びる一対の側壁の突出側先端面に、先端が鋭角をなす鋸歯状の食込突起６８が一定ピッチで前後方向に連設されている。
【００３６】
一方継手管２４は、図５に示しているようにその上面が略平坦面且つ壁と直角方向（前後方向）と平行な面をなしており、そこにゴム弾性体（軟質材）から成るゴムブロック（被食込部）７０が、継手管２４の上面に形成された凹所７２内に嵌込状態に装着されている。
ここでゴムブロック７０は、前後方向に長手形状をなす直方体形状をなしている。
またゴムブロック７０の上面は前後方向と平行をなす平坦な被食込面とされている。
【００３７】
またこのゴムブロック７０は、図５（Ｂ）に詳しく示しているように下面の４隅に円形の固定脚７４を有しており、それら固定脚７４が、凹所７２の底部に形成された嵌込孔に圧入状態で嵌め込まれ（図３参照）、以てゴムブロック７０が継手管２４の上面に固定されている。
但し図５（Ｃ）に示しているように、固定脚７４をゴムブロック７０の幅方向に連続して延びる板状として、これを凹所７２の対応する形状の嵌込孔に嵌め込むようになすこと、或いは固定脚７４を他の様々な形状となして、これを凹所７２の対応する形状の嵌込孔に嵌め込むようになすことも可能である。
またゴムブロック７０を接着により継手管２４の上面に固着しておいても良い。
【００３８】
この実施形態においてボス部６６、詳しくはその突出側の先端面に連設された食込突起６８とゴムブロック７０とは、継手管２４の前後方向の予定された最大施工誤差の範囲内で、互いに上下方向に重複して位置するように設けられている。
【００３９】
本実施形態では、水栓の施工に際して先ず水側，湯側の各継手管２４を、後端側の接続口３４で壁裏の元配管３０の端部３２にねじ接続する。
そして各継手管２４を回転調整し、前端側の接続口２６を水栓本体１２の水側，湯側の一対の接続口２２に位置合せした状態で、水栓本体１２の一対の接続口２２と継手管２４の接続口２６とを、袋ナット２８にて互いに接続する。
ここにおいて水栓本体１２が継手管２４を介し壁Ｗに取り付いた状態となる。
【００４０】
その後において、先ず継手管カバー４４の上カバー４６の後端を壁Ｗに当接させながら、上カバー４６を壁Ｗの壁面に沿って下向きに移動させ、これを継手管２４に組み付ける。
このとき、上カバー４６に設けたボス部６６の食込突起６８が、継手管２４の上面のゴムブロック７０の上面、即ち平坦な被食込面にゴムブロック７０の弾性変形を伴って食い込み、ここにおいて上カバー４６の継手管２４に対する前後方向の位置が固定される。
即ちその食込作用によって、上カバー４６に対し外力が加わった場合でも、上カバー４６が継手管２４に対し前方向即ち壁Ｗから離れる方向に位置ずれするのが防止される。
【００４１】
その後、下カバー４８を上カバー４６に対し下側から合せることで、下カバー４８が上カバー４６に組み付いた状態となり、それら上カバー４６と下カバー４８とで構成される継手管カバー４４が、継手管２４を内側に隠蔽する状態にこれを外側から覆った状態となる。
【００４２】
本実施形態において、継手管２４は、図６（Ａ）及び（Ｂ）に示すように壁裏の元配管３０の施工のばらつきによって、詳しくはその端部３２の壁Ｗの壁面からの出具合によって、元配管３０に対する組付位置が前後にばらつくが、この実施形態では、継手管２４が壁Ｗに対して前後位置がばらついた場合においても、確実に継手管カバー４４の後端を壁Ｗの壁面に当接させ、壁面との間に隙間を生ぜしめない状態に組み付けることが可能である。
【００４３】
以上のように本実施形態によれば、継手管カバー４４を継手管２４に位置決状態に組み付けるに際し、単に継手管カバー４４と継手管２４とに、食込突起６８とゴムブロック７０とを設けておくだけで良く、従来のように継手管カバー４４の組付けに際してばねを必要とせず、従ってそのばねのための部品コストや、ばねの組付けのための組付コストを不要とし得、継手管カバー４４の装着のための所要コストを安価となすことができる。
【００４４】
しかも継手管２４に対する継手管カバー４４の前後方向位置の調節を無段階で連続的に行うことができるため、継手管カバー２４の後端と壁Ｗとの間に隙間を確実に生ぜしめない状態に、継手管カバー４４を良好に取付施工することができる。これにより壁付水栓１０の施工完了状態での美観を良好となすことができる。
【００４５】
加えて施工後において、継手管カバー４４に対し外力が加わった場合にも、ゴムブロック７０への食込突起６８の食込作用により、継手管カバー４４が位置ずれするのを防止でき、施工完了後に事後的に継手管カバー４４が壁から離れる方向に位置ずれしてしまうことによって、継手管カバー４４と壁Ｗとの間に隙間を発生させてしまう問題も生じない。
また継手管カバー４４を装着すると同時に食込突起６８がゴムブロック７０に食い込んで、継手管２４に対し前後方向に位置決状態となることから、継手管カバー４４の組付けも簡単に行うことができる。
【００４６】
また食込突起６８が前後方向に複数連設してあるため、複数の食込突起６８を同時にゴムブロック７０に食い込ませることが可能となって、継手管カバー４４の固定力を強くすることができ、また継手管カバー４４を継手管２４に対して前後方向に位置調節する際の調節範囲を大きく確保することが可能となる。
またボス部６６とゴムブロックとを上下方向にそれぞれ突出形成しておくことで、周辺の他部との干渉を良好に回避して、食込突起６８をゴムブロック７０に容易に食い込ませるようになすことができる。
【００４７】
図７は本発明の他の実施形態を示している。
この例は、上カバー４６の上部の下面に、ゴム弾性体からなる弾性把持部７６を図中下向きに、即ち継手管２４側に突出する状態で設けている。
ここで弾性把持部７６は、一対の弾性アーム７８と、それらを上端部で連結する連結部８０と、連結部８０の上面から上向きに突出した嵌入部８２とを一体に有しており、その嵌入部８２が、上カバー４６の下面に形成された嵌込凹部８４内に圧入状態に嵌め込まれ、上カバー４６の内面に固定されている。
尚、この例においても弾性把持部７６を接着にて上カバー４６の内面に固着しておくこともできる。
【００４８】
一対の弾性アーム７８の下端部には、内向きにＬ字状に折れ曲がった爪部８６が備えられており、それら爪部８６を、継手管２４の側面に前後方向に形成した溝６０に係入させる状態に、一対の弾性アーム７８が継手管２４を両側面で把持するようになっている。
尚弾性把持部７６はこのとき、連結部８０が継手管２４の上面に密着した状態となる。従って弾性把持部７６は、連結部８０と一対の弾性アーム７８とで、継手管２４の上部の両側面と上面とを全体的に抱え込むように弾性把持した状態となる。
尚、この例においても継手管２４は鋳造又は鍛造にて形成されたもので、その外面は鋳造まま若しくは鍛造ままの凹凸肌をなしている。
【００４９】
この実施形態においても、継手管カバー４４を装着するに際し、先ず上下に分割されている上カバー４６の後端を壁Ｗに当接させつつ、これを壁Ｗの壁面に沿って下向きに移動させ、継手管２４に組み付ける。
その後において下カバー４８を上向きに移動させて上カバー４６に組み付け、それら上カバー４６と下カバー４８とで継手管２４を外側から覆い、継手管２４を内側に隠蔽した状態とする。
【００５０】
この実施形態においても、継手管２４に対する継手管カバー４４の前後方向の位置調整を無段階で連続的に行うことができ、従って継手管カバー４４の後端と壁Ｗとの間に、確実に隙間を生ぜしめない状態に継手管カバー４４を良好に取付施工することができる。
また継手管２４外面の凹凸肌を利用して弾性アーム７８と継手管２４の外面との間に大きな摩擦力を生ぜしめることができ、そのことによって継手管カバー４４の継手管２４に対する固定力を高めることができ、外力によって継手管カバー４４が前方向に位置ずれするのを良好に防止することができる。
【００５１】
この図７に示す実施形態では、弾性把持部７６が継手管２４の外面の凹凸肌、即ち粗面との間で大きな摩擦力を発生させ、その大きな摩擦力に基いて上カバー４４、即ち継手管カバー４４の継手管２４に対する前後方向の固定力を大とすることができるのに加えて、弾性把持部７６の大きな弾性変形能に基いて、継手管２４の施工時の位置や傾き等のばらつきを効果的に吸収し得る特長を有する。
【００５２】
図８及び図９の実施形態は、この弾性把持部７６の高い弾性変形能を利用して、継手管カバーを、一対の継手管２４を共に内側に包み込む１つの函体状の継手管ケース８８として構成した例である。
即ち図８及び図９の実施形態は、弾性把持部７６により継手管２４を弾性把持するようになすことで、継手管カバーを１つの大きな函体状の継手管ケース８８として構成することを実現可能となしたものである。
【００５３】
図９はその継手管ケース８８内部における、継手管ケース８８の継手管２４への固定構造を示している。
尚この実施形態においても、函体状をなす継手管ケース８８は、上カバー９０と下カバー９２とに上下に２分割されており、上記実施形態と同様の組付構造で上カバー９０と下カバー９２とが組み付けられるようになっている。
【００５４】
上カバー９０の上部且つ下面には、一対の継手管２４に対応して一対の弾性把持部７６が設けられ、それら弾性把持部７６によって水側，湯側の各継手管２４を弾性把持するようになっている。
この実施形態では、水側及び湯側の各継手管２４の位置や傾き等が施工誤差によって様々にばらついていた場合であっても、弾性把持部７６、特に一対の弾性アーム７８の弾性変形によってそれらのばらつきを吸収し、１つの函体状の継手管ケース８８を各継手管２４を覆う状態に、且つ水栓本体１２に対し適正な関係位置で良好に取付施工することが可能である。
【００５５】
尚、弾性把持部７６の弾性変形をより容易とするために、図１０（Ａ）に示しているように、連結部８０から上向きに突出する形状で小寸法の首部９４を設け、その首部９４の上端部を上記嵌入部８４として構成することも可能である。
更には図１０（Ｂ）に示しているようにその首部９４に貫通の穴１００を形成することによって、その変形能を更に高めるようになすこともできる。
【００５６】
尚、継手管ケース８８を水栓本体１２に対し適正位置且つ姿勢で組み付けられるようにするため、例えば図１１に示しているように水栓本体１２の後面にプレート１０２を取り付けて、そのプレート１０２に板状の嵌合凸部１０４を設け（図１２参照）、また継手管ケース８８の側に、各一対のプレート１０６にてそれらの間に嵌合凹部１０８を形成し、それら嵌合凸部１０４と嵌合凹部１０８とを嵌め合せるようにして継手管ケース８８を取り付けるようになしても良い。
【００５７】
更に図１３に示しているように、継手管ケース８８の水栓本体１２側の端部に、水栓本体１２の後端側の端部とともに一対の継手管２４を覆って目隠しする目隠し部１１０を設けておくこともできる。
このようにすれば、施工完了状態での壁付水栓の美観を一層良好とすることができる。
【００５８】
以上本発明の実施形態を詳述したがこれらはあくまで一例示である。
例えば図８及び図９に示す弾性把持部７６を、弾性能を有する樹脂にて構成することも可能である。
また図１〜図６の実施形態では、食込突起６８及び被食込部としてのゴムブロック７０の何れも、上カバー４６の下面及び継手管２４の上面からそれぞれ図中下向き及び上向きに突出した形状で設けているが、何れか一方だけを突出した形状で設けておくといったことも可能である。
【００５９】
また上記実施形態では、ゴムブロック７０を前後方向に長い形状で構成しているが、場合によってこのゴムブロック７０を食込突起６８の少なくとも１ピッチ以上の長さを有するように、前後方向に短い形状で構成するといったことも場合により可能であるし、更には食込突起を継手管２４の側に、被食込部を継手管カバー４４の側に設けるといったことも可能であるなど、本発明はその趣旨を逸脱しない範囲において種々変更を加えた形態で構成可能である。
【図面の簡単な説明】
【００６０】
【図１】本発明の一実施形態である壁付水栓を一方の継手管カバーを取り外した状態で示す斜視図である。
【図２】同実施形態の壁付水栓の要部側面図である。
【図３】同実施形態の壁付水栓の要部断面図である。
【図４】同実施形態における継手管カバーの斜視図である。
【図５】同実施形態における継手管の斜視図である。
【図６】同実施形態の作用説明図である。
【図７】本発明の他の実施形態の図である。
【図８】本発明の更に他の実施形態の壁付水栓の全体図である。
【図９】図８の要部断面図である。
【図１０】本発明の更に他の実施形態の要部の図である。
【図１１】本発明の更に他の実施形態の図である。
【図１２】同実施形態の要部を示した図である。
【図１３】本発明の更に他の実施形態の図である。
【符号の説明】
【００６１】
１０  壁付水栓
１２  水栓本体
２４  継手管
３０  元配管
４４  継手管カバー
６６  ボス部
６８  食込突起
７０  ゴムブロック（被食込部）
７６  弾性把持部
７８  弾性アーム
【図１】
0004895933.tif 000002
【図２】
0004895933.tif 000003
【図３】
0004895933.tif 000004
【図４】
0004895933.tif 000005
【図５】
0004895933.tif 000006
【図６】
0004895933.tif 000007
【図７】
0004895933.tif 000008
【図８】
0004895933.tif 000009
【図９】
0004895933.tif 000010
【図１０】
0004895933.tif 000011
【図１１】
0004895933.tif 000012
【図１２】
0004895933.tif 000013
【図１３】
0004895933.tif 000014